(57)【特許請求の範囲】
【請求項１】
遊技機に対応して設けられ、前記遊技機の側方において前方に突出して設けられ情報を表示する情報表示部を有する遊技用表示装置であって、
前記情報表示部の周縁部には、エアを吹出すエア吹出口と、エアを吸込む吸引口とが設けられ、
前記エアを前記エア吹出口に供給するエア供給部と、
前記エアを前記吸引口から吸込むためのエア吸引部と、
対応する遊技機における遊技に伴い発生する遊技情報を入力する入力部と、
該入力部に入力された遊技情報に基づいて、前記エア供給部から前記エア吹出口へ供給されるエアの強さおよび前記エア吸引部によるエアの吸引強さの少なくとも一方を変更する制御である変更制御を行なう遊技状況対応エア制御手段とを備え、
前記吸引口は、少なくとも前記情報表示部の下端縁に設けられ、
前記遊技状況対応エア制御手段は、前記変更制御を行なうときに、前記対応する遊技機側に隣接する遊技用表示装置において、前記エアの強さおよび前記エアの吸引強さの少なくとも一方を変更するための制御を行なうことを特徴とする、遊技用表示装置。
【請求項２】
遊技機の側方において前方に突出して設けられ情報を表示する情報表示部を有する遊技用表示装置であって、
前記情報表示部の周縁部には、エアを吹出すエア吹出口と、エアを吸込む吸引口とが設けられ、
前記エアを前記エア吹出口に供給するエア供給部と、
前記エアを前記吸引口から吸込むためのエア吸引部と、
前記情報表示部の上方に設けられ、紙幣が挿入される紙幣挿入口と、
該紙幣挿入口に挿入された紙幣の金額の範囲内で前記遊技機において使用する遊技媒体を貸与するための貸与処理を行なう貸与処理手段と、
前記紙幣挿入口への物体の接近を検出するセンサと、
該センサによる物体の検出に基づいて、前記エア供給部から前記エア吹出口へのエアの供給を弱めるまたは停止する制御を行なう物体接近時エア制御手段とを備え、
前記吸引口は、少なくとも前記情報表示部の下端縁に設けられていることを特徴とする、遊技用表示装置。
【発明の詳細な説明】
【技術分野】
【０００１】
本発明は、たとえばパチンコ遊技機やコイン遊技機あるいはスロットマシン等の遊技機の側方において前方に突出して設けられ情報を表示する情報表示部を有する遊技用表示装置に関する。
【背景技術】
【０００２】
この種の遊技用表示装置において、従来から一般的に知られているものに、たとえば、遊技機間に設置された台毎表示情報装置の前方に突出させて情報表示部が設けられ、その情報表示部の上端縁部、突出端縁部および下端縁部に設けられたエア吹出口からエアを吹出し、煙草の煙対策としてのエアカーテンを形成するように構成されたものがあった（特許文献１）。
【特許文献１】特開２００７−１７５３６７号公報
【発明の開示】
【発明が解決しようとする課題】
【０００３】
一方、パチンコ遊技機やスロットマシン等で代表される遊技機においては、遊技機の下方の膳板の向かって左側に灰皿が設けられており、火をつけられた煙草がその灰皿に載置された状態で遊技者が遊技を行なう場合がある。
【０００４】
かかる場合に、前述の特許文献１に記載の遊技用表示装置においては、情報表示部の下端縁部に設けられたエア吹出口から下方に向けてエアが吹出されるため、当該下方に向けて吹出されたエアにより、灰皿に載置された煙草から立ち昇る煙が遊技者の方へ吹き流されてしまうという不都合が生じる。
【０００５】
本発明は、係る実情に鑑み考え出されたものであり、その目的は、灰皿に載置された煙草から立ち昇る煙についても効果的に除去できるようにすることである。
【課題を解決するための手段の具体例およびその効果】
【０００６】
（１）  遊技機（たとえば、パチンコ遊技機２ａ、２ｂ、２ｃ・・・）に対応して設けられ、前記遊技機の側方において前方に突出して設けられ情報を表示する情報表示部（たとえば、情報表示部７７）を有する遊技用表示装置（たとえば、台間表示装置１ａ、１ｂ、１ｃ・・・、または台間表示装置１ａ、１ｂ、１ｃ・・・とホール用コンピュータ４９や中継用島コンピュータ４８、または台間表示装置１ａ、１ｂ、１ｃ・・・と図６の大型軸流ファン３６、または台間表示装置１ａ、１ｂ、１ｃ・・・と図６の大型軸流ファン３６とホール用コンピュータ４９や中継用島コンピュータ４８）であって、
前記情報表示部の周縁部には、エアを吹出すエア吹出口（たとえば、エア吹出口４ａ、４ｂ）と、エアを吸込む吸引口（たとえば、エア吸込口１２）とが設けられ、
前記エアを前記エア吹出口に供給するエア供給部（たとえば、シロッコファン２２と吹出経路２４、または図８の変形例の場合の吹出経路２４）と、
前記エアを前記吸引口から吸込むためのエア吸引部（たとえば、シロッコファン２２と吸込経路２７、または図８の変形例の場合の吸込経路２７）と、
対応する遊技機における遊技に伴い発生する遊技情報（たとえば、大当り中信号と打込玉検出信号）を入力する入力部（たとえば、入出力インターフェイス４７）と、
該入力部に入力された遊技情報に基づいて、前記エア供給部から前記エア吹出口へ供給されるエアの強さおよび前記エア吸引部によるエアの吸引強さの少なくとも一方を変更する制御である変更制御を行なう遊技状況対応エア制御手段（たとえば、図５、図１５のＳ７、Ｓ９、Ｓ１０、Ｓ１２、Ｓ１２、Ｓ１４、Ｓ１６、Ｓ１７）とを備え、
前記吸引口は、少なくとも前記情報表示部の下端縁に設けられ（たとえば、図２〜図５、図８）、
前記遊技状況対応エア制御手段は、前記変更制御を行なうときに、前記対応する遊技機（たとえば、パチンコ遊技機２ｂ）側に隣接する遊技用表示装置（たとえば、台間表示装置１ｃ）において、前記エアの強さおよび前記エアの吸引強さの少なくとも一方を変更するための制御を行なう（図７のＳ１１、Ｓ１５）ことを特徴とする。
【０００７】
このような構成によれば、灰皿に載置された煙草から立上がる煙についても、情報表示部の下端縁に設けられた吸引口から効果的に吸引して除去することができる。さらに、このような構成によれば、対応する遊技機における遊技に伴い発生する遊技情報に基づいて、エア供給部からエア吹出口へ供給されるエアの強さおよびエア吸引部によるエアの吸引強さの少なくとも一方を変更する制御が行なわれるために、対応する遊技機の遊技状況に応じて吹出すエアの強さおよびエアの吸引強さの少なくとも一方を適切な強さに調整することができる。また、このような構成によれば、遊技機の両側に隣接する遊技用表示装置がともに、当該遊技機の遊技状況に応じて吹出すエアの強さおよび前記エアの吸引強さの少なくとも一方を適切な強さに調整することができる。
【００１２】
（２）  遊技機（たとえば、パチンコ遊技機２ａ、２ｂ、２ｃ・・・）の側方において前方に突出して設けられ情報を表示する情報表示部（たとえば、情報表示部７７）を有する遊技用表示装置（たとえば、台間表示装置１ａ、１ｂ、１ｃ・・・、または台間表示装置１ａ、１ｂ、１ｃ・・・とホール用コンピュータ４９や中継用島コンピュータ４８、または台間表示装置１ａ、１ｂ、１ｃ・・・と図６の大型軸流ファン３６、または台間表示装置１ａ、１ｂ、１ｃ・・・と図６の大型軸流ファン３６とホール用コンピュータ４９や中継用島コンピュータ４８）であって、
前記情報表示部の周縁部には、エアを吹出すエア吹出口（たとえば、エア吹出口４ａ、４ｂ）と、エアを吸込む吸引口（たとえば、エア吸込口１２）とが設けられ、
前記エアを前記エア吹出口に供給するエア供給部（たとえば、シロッコファン２２と吹出経路２４、または図８の変形例の場合の吹出経路２４）と、
前記エアを前記吸引口から吸込むためのエア吸引部（たとえば、シロッコファン２２と吸込経路２７、または図８の変形例の場合の吸込経路２７）と、
前記情報表示部の上方に設けられ、紙幣が挿入される紙幣挿入口（たとえば、紙幣挿入口３）と、
該紙幣挿入口に挿入された紙幣の金額の範囲内で前記遊技機において使用する遊技媒体を貸与するための貸与処理を行なう貸与処理手段（たとえば、制御基板１８）と、
前記紙幣挿入口への物体の接近を検出するセンサ（たとえば、接近感知センサ１０）と、
該センサによる物体の検出に基づいて、前記エア供給部から前記エア吹出口へのエアの供給を弱めるまたは停止する制御を行なう物体接近時エア制御手段（たとえば、図７のＳ６、Ｓ１０）とを備え、
前記吸引口は、少なくとも前記情報表示部の下端縁に設けられている（たとえば、図２〜図５、図８）ことを特徴とする。
【００１３】
このような構成によれば、灰皿に載置された煙草から立上がる煙についても、情報表示部の下端縁に設けられた吸引口から効果的に吸引して除去することができる。さらに、このような構成によれば、紙幣挿入口へ物体が接近したときにはエアの吹出しが弱まるまたは停止されるので、遊技者が紙幣を紙幣挿入口に挿入する際に吹出すエアが邪魔する不都合を極力防止できる。
【発明を実施するための最良の形態】
【００１４】
次に、図面に基づいて本発明の実施の形態を詳細に説明する。以下の説明では、同一の部品には同一の符号を付してある。なお、この実施の形態では、遊技機の一例としてパチンコ遊技機に基づいて説明しているが、これに限定されるものではなく、たとえば、他の種類の遊技機（たとえば、スロットマシン等）であってもよい。
【００１５】
図１は、遊技場の遊技機設置島１００に設置された遊技機の一例のパチンコ遊技機２ａ、２ｂ、２ｃ…およびその各パチンコ遊技機２ａ、２ｂ、２ｃ…の台間に設置された台間表示装置１ａ、１ｂ、１ｃ…を示す正面図である。各台間表示装置１ａ、１ｂ、１ｃ…には、液晶表示器７８（図２参照）が内蔵された情報表示部７７が設けられている。台間表示装置１ａ，１ｂ，１ｃ…は、向かって右側のパチンコ遊技機２ａ，２ｂ，２ｃ…に対応しており、その対応するパチンコ遊技機２ａ，２ｂ，２ｃ…の出玉履歴や現在の遊技状況等の情報を情報表示部７７により表示し、遊技者に知らせるように構成されている。そのために、この情報表示部７７は、対応するパチンコ遊技機２ａ，２ｂ，２ｃの左側方において前方に突出して設けられ、向かって右側の側面に液晶表示器７８の表示部が臨むように構成されている（図８参照）。その結果、対応するパチンコ遊技機２ａ，２ｂ，２ｃの前面に座った遊技者の左手にその液晶表示器７８の表示面が臨み、遊技者が表示内容を視認できるように構成されている。つまり、液晶表示器７８の表示面が臨む側の遊技機が対応する遊技機となる。
【００１６】
この情報表示部７７には、図２等に基づいて後述するが、その下端縁部にエア吸込口（エア吸引口とも言う）１２と、その上端縁と前方端縁とにエア吹出口４ａ、４ｂが設けられ、シロッコファン２２が作動することによりエア吸込口１２から吸込まれたエアが２つのエア吹出口４ａ、ｂから吹出され、煙草の煙対策用のエアカーテンができるように構成されている。これにより、煙草の煙が隣の遊技者に流れて不快な思いをさせることを極力防止できる。
【００１７】
また、各台間表示装置１ａ，１ｂ，１ｃ…には、縦長状の紙幣挿入口３が設けられている。前述したように、各パチンコ遊技機２ａ、２ｂ、２ｃの向かって左側に隣接している台間表示装置１ａ、１ｂ、１ｃが、パチンコ遊技機に対応する台間表示装置であるために、たとえば遊技者がパチンコ遊技機２ｂにより遊技を行なう場合には、それに対応して設けられている台間表示装置１ｂの紙幣挿入口３に紙幣を挿入することにより、遊技媒体の一例のパチンコ玉が遊技機２ｂの上皿６に貸出される。遊技者は、遊技機２ｂの右下に設けられている打球操作ハンドル７を操作することにより、上皿６に貸出されたパチンコ玉を遊技領域５内に打込むことができる。
【００１８】
ここで、パチンコ遊技機２ａ、２ｂ、２ｃ…での遊技を、第１種のパチンコ遊技機を例に挙げて簡単に説明する。遊技領域５に打込まれた打玉が始動入賞領域（始動入賞口）に入賞することにより、変動表示装置が変動表示した後表示結果を導出表示し、その表示結果が予め定められた特定の表示態様（たとえば７７７）となれば、可変入賞球装置が開成して遊技者にとって有利な特定遊技状態（大当り状態）に移行する。この大当り状態では、開成した可変入賞球装置に所定個数（たとえば１０個）の打玉が入賞するかあるいは所定時間（たとえば３０秒間）経過するかのうちいずれか早い方の条件が成立したことにより可変入賞球装置が閉成して１ラウンドが終了し、その後再度可変入賞球装置が開成して第２ラウンドが開始され、所定の最終ラウンドまで繰返し実行された後大当り状態が終了する。この大当り中に多量の打玉が可変入賞球装置内に入賞して多量の景品玉が上皿６に払出される。
【００１９】
なお、遊技領域５に打込まれたパチンコ玉は、パチンコ遊技機内に回収されて島１００側に還元されるのであり、その際に打込玉検出スイッチ（図１では図示省略）により検出されるように構成されている。
【００２０】
各パチンコ遊技機２ａ、２ｂ、２ｃ…の膳板８には、灰皿９が設けられている。遊技中の遊技者は、その灰皿９を利用して煙草を吸うことができる。特に、前述した大当り状態が発生したときには、一般的に遊技者は喫煙を開始する傾向がある。この煙草の煙が隣で遊技をしている遊技者の方に流れ込むことを防止するべく、エア吹出口４ａ、４ｂから吹出されるエアの強さおよびエア吸込口１２から吸込まれるエアの吸引力が増すように制御される。その結果、たとえばパチンコ遊技機２ｂで遊技を行なっている遊技者が煙草を吸った場合に、その吹出されるエアがエアカーテンの役目を果たし、煙草の煙が左右に隣接するパチンコ遊技機側に流れていくことが極力防止できる。しかも、灰皿９に煙草を置いた場合には、その灰皿９に置かれている煙草から上がる煙が上方に位置するエア吸込口１２により吸込まれるために、その煙が隣の遊技機側に流れ込むことをより一層確実に防止することができるとともに、下方に向けて吹出されたエアにより、灰皿９に載置された煙草から立ち昇る煙が遊技者の方へ吹き流されてしまうという不都合も防止できる。
【００２１】
図２は、台間表示装置１ｂの構成を示す図である。（ａ）は正面図、（ｂ）は内部の構成を示す断面図、（ｃ）は上方から見た平面図である。
【００２２】
台間表示装置１ｂに前方に突出して設けられた情報表示部７７には、液晶表示器７８が内蔵されている。この液晶表示器７８には、遊技者がタッチ操作可能なタッチパネルが設けられており、遊技者はそのタッチパネルを選択操作することにより、対応するパチンコ遊技機２ｂにおいて遊技者が希望する遊技情報をこの液晶表示器７８により表示させることができる。この液晶表示器７８により表示可能な遊技情報としては、たとえば、対応するパチンコ遊技機２ｂにおける、出玉履歴情報、大当りの発生履歴情報、確変大当りの発生履歴情報、大当り間有効始動情報（ＴＳ）等である。
【００２３】
紙幣挿入口３に挿入された紙幣（たとえば千円札）は、紙幣識別機１７内に取込まれ、その真贋が判別される。不適正な紙幣の場合は紙幣挿入口３からその紙幣が排出される。一方、適正な紙幣であった場合にはその紙幣が取込まれ、取込まれた紙幣が遊技機設置島１００内に設けられている紙幣搬送装置によって自動的に搬送され、遊技機設置島１００の端部に設けられた金庫内に収納される。そして、適正な紙幣が挿入された旨の信号が紙幣識別機１７から制御基板１８に入力される。制御基板１８には、玉貸／表示制御用マイクロコンピュータが設けられており、入力された信号に基づいて所定金額（たとえば５００円）分のパチンコ玉を貸出す旨の指令信号を対応するパチンコ遊技機２ｂの払出制御用マイクロコンピュータへ出力する。それを受けた払出制御用マイクロコンピュータは、所定個数のパチンコ玉を上皿６へ払出す。
【００２４】
制御基板１８に設けられた玉貸／表示制御用マイクロコンピュータは、対応するパチンコ遊技機２ｂから送信されてきた各種遊技情報（後述する）を集計し、遊技者のタッチパネルの選択操作に応じて所望の遊技情報を液晶表示器７８に表示させる機能も有している。また、液晶表示器７８にタッチパネル６６（図６参照）は、ファンモータ制御基板２１にも接続されており、タッチパネルの操作信号がファンモータ制御基板２１にも入力されてその入力信号に基づいてファンモータ制御基板２１がファンモータ２２ｍを制御する。これについては後述する。
【００２５】
台間表示装置１ｂには、電源基板（図示省略）が設けられており、商用電源から供給された電力が所定の電圧に変換されて、制御基板１８、紙幣識別機１７、シロッコファン２２、カードリーダライタ７０に供給される。
【００２６】
台間表示装置１ｂには、さらに、ＩＣカード挿入／排出口１５が設けられている。遊技者が当該遊技場の会員となっており、会員カードとしてのＩＣカードを持っている場合には、そのＩＣカードをＩＣカード挿入／排出口１５に挿入することにより、そのＩＣカードに記録されている有価価値がカードリーダライタ７０により読取られ、その読取られた有価価値を用いて玉貸を行なうことが可能となる。さらに、遊技者が紙幣挿入口３から挿入した紙幣の残高がある状態で遊技者が遊技を終了する場合には、遊技者がＩＣカードをＩＣカード挿入／排出口１５に挿入することにより、その残高に相当する有価価値を特定可能な情報が記録されたＩＣカードが遊技者に返却される。
【００２７】
台間表示装置１ｂには、ファンモータ制御基板２１が設けられており、シロッコファン２２のファンモータ（図示省略）がこのファンモータ制御基板２１により制御される。その制御の内容については、後に詳しく説明する。
【００２８】
情報表示部７７には、前述したように、その下端縁にエア吸込口（エア吸引口）１２が設けられており、シロッコファン２２が作動することによりエアがこのエア吸込口１２から吸込まれる。このエア吸込口１２とシロッコファン２２との間に吸込経路２７が形成されている。一方、情報表示部７７の上端縁および前方端縁にそれぞれエア吹出口４ａ、４ｂが設けられており、それら各エア吹出口４ａ、４ｂとシロッコファン２２との間にそれぞれ吹出経路２４ａ、２４ｂが形成されている。そして、情報表示部７７は、台間表示装置１ｂへの取付部を軸心として左右に所定角度（たとえば６０度）揺動できるように構成されている。そのために、吸込経路２７と各吹出経路２４ａ、２４ｂとは、フレキシブルな材料からなるチューブで構成されている。
【００２９】
台間表示装置１ｂの電源が投入された段階で、シロッコファン２２が作動開始し、シロッコファン２２がエア吸込口１２からエアを吸込み、その吸込まれたエアが吸込経路２７、シロッコファン２２、吹出経路２４ａ、２４ｂを経由して各エア吹出口４ａ、４ｂから吹出される。エア吸込口１２には、粗目フィルタ２５が設けられており、吸込まれたエア中に含まれている大き目の粉塵がこの粗目フィルタ２５により除去される。この粗目フィルタ２５の奥側には、細目フィルタ２６が設けられており、この細目フィルタ２６により、吸込まれたエア中に含まれている細かな粉塵（煙草の煙の粒子等）が除去される。
【００３０】
一方、各エア吹出口４ａ、４ｂには、複数（図面上では４個）のルーバ１４が設けられており、このルーバ１４により、エアが上方、前方、下方に満遍なく吹出されるようになる。
【００３１】
紙幣挿入口３の下方には、赤外線センサからなる接近感知センサ１０が設けられている。遊技者が紙幣を紙幣挿入口３から挿入しようとしたときに、その遊技者の手が接近感知センサ１０により検出され、その検出信号がファンモータ制御基板２１へ入力され、後述するように、ファンモータが停止制御されてシロッコファン２２が停止する。その結果、エア吹出口４ａ、４ｂからのエアの吹出しが停止され、紙幣を紙幣挿入口３に挿入する際に吹出すエアが邪魔する不都合が防止できる。
【００３２】
図３は、シロッコファン２２の作動中におけるエアの流れを説明するための図である。図３（ａ）は、要部拡大断面図、図３（ｂ）は、（ａ）のＡ−Ａ断面図である。
【００３３】
まずエア吸込口１２から吸込まれるエアは、粗目フィルタ２５を通過する。その際に、エア中に含まれる大きめの粉塵がこの粗目フィルタ２５により除去される。次に、エアが吸込経路２７の細目フィルタ２６を通過する。細目フィルタ２６は、複数層（図面上では７層）設けられており、奥側にいくに従って、より一層きめ細かな目のフィルタとなっている。この細目フィルタ２６を通過することにより、エア中に含まれている細かな粉塵（たとえば煙草の煙の粒子）が除去される。その後エアが吸込経路２７を通ってシロッコファン２２内に入り、そのシロッコファン２２から各吹出経路２４ａ、２４ｂを経由して各エア吹出口４ａ、４ｂから吹出される。各吹出経路２４ａ、２４ｂの横断面は、（ｂ）に示すように上下２段の構造となっている。この各吹出経路２４ａ、２４ｂを経由してその前方側に設けられている各エア吹出口４ａ、４ｂからエアが吹出される。
【００３４】
この各エア吹出口４ａ、４ｂには、複数（４個）のルーバ１４が設けられており、このルーバ１４の向きにより、エアが上方、前方、下方に満遍なく吹出されるようになる。
【００３５】
また、前述したように、情報表示部７７は、台間表示装置１ｂへの取付部における縦軸７１を回動中心として、左右に所定角度（たとえば６０度）揺動できるように構成されており、遊技者が自分の見やすい角度にその情報表示部７７の揺動角度を調整することができる。その関係上、前述したように、吸込経路２７と各吹出経路２４ａ、２４ｂとは、フレキシブルな材料からなるチューブで構成されている。
【００３６】
図４は、情報表示部７７の斜視図である。この斜視図に示すように、台間表示装置１ｂから延びている吹出経路２４ａが上端縁部のエア吹出口４ａのところまで延設されており、シロッコファン２２からのエアがこの吹出経路２４ａを通って上端縁部のエア吹出口４ａから吹出される。さらに、この吹出経路２４ａの下方位置に、台間表示装置１ｂからの吹出経路２４ｂが設けられており、その吹出経路２４ｂが前方端縁のエア吹出口４ｂのところまで延設されている。この吹出経路２４ｂを通って供給されてきたエアが前方端縁のエア吹出口４ｂから吹出される。これら吹出経路２４ａ，２４ｂの下方に液晶表示器７８が設けられており、その液晶表示器７８の下方に、吸込経路２７が設けられている。この吸込経路２７は、台間表示装置１ｂからエア吸込口１２のところまで延設されており、エア吸込口１２から吸込まれたエアが吸込経路２７を通ってシロッコファン２２に吸込まれる。
【００３７】
図５は、情報表示部におけるエアの吹出構造の変形例を示す図である。前述した情報表示部７７との相違点を主に説明する。
【００３８】
この情報表示部７７は、中空状のボックス７７ｂ内に液晶表示器７８が設けられているとともに、シロッコファン２２からのエアがボックス７７ｂ内に供給されるエア入口７３が設けられており、シロッコファン２２からのエアがこのエア入口７３から吹込まれる。その吹込まれたエアが、ボックス７７ｂ内を通り、上方のエア吹出口４ａと前方端のエア吹出口４ｂとから吹出されるように構成されている。なお、液晶表示器７８の下方に設けられているエア吸込口１２と吸込経路２７および粗目フィルタ２５、細目フィルタ２６については、前述したものと同様である。
【００３９】
また、エア入口７３には、複数のルーバ１４が設けられており、このルーバ１４によってシロッコファン２２からボックス７７ｂ内に入り込むエアの方向を、上方、前方、斜め下方に分散できるように構成されている。そして、上方に分散したエアがボックス７７ｂ内を通って上方のエア吹出口４ａから上方に吹出され、前方および斜め下方に分散したエアがボックス７７ｂ内を通って前方端のエア吹出口４ａから吹出される。
【００４０】
液晶表示器７８は、バックライト等が設けられている関係上発熱する傾向にあるが、ボックス７７ｂ内を通過するエアによってその液晶表示器７８が冷却される利点がある。
【００４１】
図６は、台間表示装置１ａ、１ｂおよびパチンコ遊技機２ａ、２ｂの制御回路を示すブロック図である。台間表示装置１ａ、１ｂに設けられている前述したファンモータ制御基板２３には、ファンモータ制御用マイクロコンピュータ４３が設けられている。ファンモータ制御用マイクロコンピュータ４３は、制御中枢としてのＣＰＵ４４、ＣＰＵ４４を動作させるためのプログラムを記憶しているＲＯＭ４５、ＣＰＵ４４のワークエリアとしてのＲＡＭ４６、外部機器との信号の入出力を行なうための入出力インターフェイス４７を備えている。
【００４２】
パチンコ遊技機２ａ、２ｂには、遊技制御を行なうための遊技制御用マイクロコンピュータ４２が設けられており、その遊技制御用マイクロコンピュータ４２に対し信号の入出力を行なうための入出力インターフェイス４１が設けられている。
【００４３】
液晶表示器７８に設けられているタッチパネル６６からのタッチ操作信号が入出力インタフェース４７を介してＣＰＵ４４に入力される。また、台間表示装置１ｂに設けられている前述した接近感知センサ１０からの検出信号が、入出力インターフェイス４７を介してＣＰＵ４４に入力される。ＣＰＵ４４によるファンモータ制御用の信号が入出力インターフェイス４７を介してファンモータ２２ｍに与えられる。さらに、前述したパチンコ遊技機２ａ、２ｂの遊技領域５に打込まれた打込玉を検出する打込玉検出スイッチ４０からの打込玉検出信号が、入出力インターフェイス４７を介してＣＰＵ４４に入力される。
【００４４】
さらに、パチンコ遊技機２ａ、２ｂが前述した大当り状態となると、その大当り状態となっている最中継続して大当り中信号がパチンコ遊技機２ａ、２ｂから出力され、その大当り中信号が入出力インターフェイス４７を介してＣＰＵ４４に入力される。一方、この大当り中信号は、遊技機設置島１００に設けられている中継用島コンピュータ４８にも出力され、その大当り中信号が中継用島コンピュータ４８を経由してホール用管理コンピュータ４９に入力される。ホール用管理コンピュータ４９では、その入力されたパチンコ遊技機毎の大当り中信号等に基づいて、釘調整等に役立つデータを集計して出力する。
【００４５】
また、各台間表示装置１ａ、１ｂ…は、対応するパチンコ遊技機側に隣接する台間表示装置に対して、ファンモータ２２ｍの回転速度を調整するためのコマンド（高速度コマンド等）を送信する。たとえば、台間表示装置１ａは対応するパチンコ遊技機２ａ側に隣接する台間表示装置１ｂに対して前述のコマンドを送信し、台間表示装置１ｂは、対応するパチンコ遊技機２ｂ側に隣接する台間表示装置１ｃに対して前述のコマンドを送信する。
【００４６】
なお、遊技制御用マイクロコンピュータ４２から台間表示装置１ａ，１ｂ…の制御基板１８に、液晶表示器７８で情報表示するために必要となる各種遊技情報が送信される。たとえば、有効始動入賞情報、入賞玉数情報、確変大当り発生情報、打込み玉数情報等が送信される。
【００４７】
図７は、各台間表示装置１ａ、１ｂ、１ｃ…に設けられているファンモータ制御用マイクロコンピュータ４３の制御動作を示すフローチャートである。まずステップＳ（以下単にＳという）６により、接近感知センサが物体の接近を検知してＯＮになっているか否かを判断がなされる。ＯＮになっていない場合にはＳ７により、タッチパネル６６の操作信号または遊技機から排出された打込玉を検出する打込玉検出スイッチ４０からの検出信号が入力されているか否かの判断がなされ、いずれも入力されていない場合にはＳ８へ進み、隣の台間表示装置１ａからタッチパネル６６の操作信号または打込玉検出信号の入力があったか否かの判断がなされ、いずれもない場合にはＳ９へ進み、Ｓ６、Ｓ７、Ｓ８によりＮＯの判断がなされてから所定時間（たとえば２分間）が経過したか否かの判断がなされ、未だ経過していない場合にはＳ１７に進み、ファンモータを通常速度で駆動する制御を行なってＳ６へ戻る。つまり、タッチパネル６６の操作信号も打込玉検出信号も入力されて来ないということは、遊技者がタッチパネル６６の操作を行なっておらずかつ玉を遊技領域５に打込んでいないということであり、その場合にはＳ７によりＮＯの判断がなされる。一方、タッチパネル６６の操作を行なわれてその操作信号が対応する台間表示装置１ｂに入力された場合、または、パチンコ遊技機２ｂにより打込玉が検出されてその検出信号が対応する台間表示装置１ｂに入力された場合には、Ｓ７によりＹＥＳの判断がなされてＳ１１により、その入力された信号（タッチパネル６６の操作信号または打込玉検出信号）を対応するパチンコ遊技機２ｂに隣接する台間表示装置１ｃへ送信する処理がなされる。たとえば、タッチパネル６６の操作信号または打込玉検出信号が台間表示装置１ａから台間表示装置１ｂに送信されてきた場合には、Ｓ８によりＹＥＳの判断がなされることとなる。ところが、台間表示装置１ｂの両隣に隣接するパチンコ遊技機２ａ、２ｂともに遊技者がタッチパネル６６の操作を行なっておらずかつ遊技領域５にパチンコ玉を打込んでいない場合には、Ｓ７とＳ８とでＮＯの判断がなされる。その状態が、所定時間（たとえば２分間）継続した場合には、Ｓ９によりＹＥＳの判断がなされてＳ１０に進み、台間表示装置１ｂのファンモータ２２ｍを停止させる処理が行なわれてＳ６へ戻る。その結果、台間表示装置１ｂのシロッコファン２２が停止され、エア吹出口４ａ、４ｂからのエアの吹出しが停止される。所定時間（たとえば２分間）以上タッチパネル６６の操作が行なわれておらずかつ遊技領域に打玉が打込まれないということは、そのパチンコ遊技機に遊技者が付いていないということであり、煙草の煙のためのエアカーテンが必要ないためにファンモータ２２ｍが停止されるのである。なお、Ｓ１０で、台間表示装置１ｂのファンモータ２２ｍを低速で駆動させる処理を行ない、吹出口４ａ、４ｂからのエアの吹出し勢いを弱くするようにしてもよい。
【００４８】
一方、遊技者がパチンコ遊技機２ｂにより遊技をするべく台間表示装置１ｂの紙幣挿入口３に紙幣を挿入しようとした場合には、その遊技者の手が接近感知センサ１０により検出され、Ｓ６によりＹＥＳの判断がなされてＳ１０へ進み、ファンモータ２２ｍが停止される。その結果、遊技者が紙幣を紙幣挿入口３に挿入する際に吹出口４ａ、４ｂからの吹出エアが邪魔になる不都合が防止できる。
【００４９】
次に、遊技者がタッチパネル６６の操作を行なった場合またはパチンコ遊技機２ｂの上皿６に貸出されたパチンコ玉を遊技領域５に打込んだ場合には、Ｓ７によりＹＥＳの判断がなされてＳ１１に進み、Ｓ７で入力された信号（タッチパネル６６の操作信号または打込玉検出信号）を対応するパチンコ遊技機２ｂに隣接する台間表示装置１ｃへ送信する処理がなされる。次にＳ１２により、遊技機から大当り中信号の入力があったか否かの判断がなされる。パチンコ遊技機２ｂで未だに大当り状態が発生していない場合には、Ｓ１２によりＮＯの判断がなされてＳ１３へ進み、隣の台間表示装置１ａから高速駆動コマンドの入力があったか否かの判断がなされる。この高速駆動コマンドは、隣の台間表示装置１ａが対応するパチンコ遊技機２ａが大当り状態となって大当り中信号が台間表示装置１ａに入力されたときにその台間表示装置１ａから送信されてくるコマンドである。隣のパチンコ遊技機２ａが未だ大当り状態となっていない場合にはＳ１３によりＮＯの判断がなされてＳ１７へ進み、ファンモータ２２ｍを通常速度で駆動する制御が行なわれてＳ６へ戻る。
【００５０】
つまり、台間表示装置１ｂは、対応するパチンコ遊技機２ｂに遊技者がいると判断されるときであってかつ左右両側のパチンコ遊技機２ａ、２ｂがともに大当り状態中でないときには、Ｓ１７により、モータファン２２ｍを通常速度で駆動する制御が行なわれて通常の吹出し勢いでエアがエア吹出口４ａ、４ｂから吹出されることとなる。
【００５１】
一方、対応するパチンコ遊技機２ｂにより大当り状態が発生した場合には前述したように大当り中信号が台間表示装置１ｂのファンモータ駆動用マイクロコンピュータ４３に入力される。すると、Ｓ１２によりＹＥＳの判断がなされてＳ１４へ進み、前回の大当り中信号の入力から所定時間（たとえば５分間）が経過したか否かの判断がなされる。経過している場合にはＳ１５へ進み、高速駆動コマンドを対応する遊技機２ｂに隣接する台間表示装置１ｃへ送信する処理がなされ、Ｓ１６により、ファンモータを高速駆動する制御がなされてＳ６へ戻る。
【００５２】
一方、隣のパチンコ遊技機２ａにおいて大当り状態が発生した場合には大当り中信号が隣の台間表示装置１ａに入力され、それに基づいて前述の高速駆動コマンドが台間表示装置１ｂのファンモータ制御用マイクロコンピュータ４３に入力される。すると、Ｓ１３によりＹＥＳの判断がなされてＳ１６により、ファンモータ２２ｍを高速駆動する制御がなされる。
【００５３】
その結果、台間表示装置１ｂは、対応するパチンコ遊技機２ｂにおいて打玉が遊技領域に打込まれている状態で、左右両側のパチンコ遊技機２ａ、２ｂのいずれか一方において大当り状態が発生すれば、シロッコファン２２が高速回転してエア吹出口３から強い勢いでエアが吹出される。これは、前述したように、大当りが発生すれば一般的に遊技者は煙草を吸い始める傾向があり、それに対応してエア吹出口３からのエアの吹出し勢いを強にするのである。なお、大当り発生確率が向上した確率変動状態等においては、大当り状態が終了した後すぐに次の大当りが発生する場合がある。そのような場合には、遊技者は前回の大当りで既に煙草を吸っているために、後続の大当りでさらに煙草を吸う可能性が低いために、そのような前回の大当りの終了後すぐに次の大当りが発生した場合には、Ｓ１４によりＮＯの判断がなされることとなり、ファンモータ２２ｍを通常速度で駆動する制御が行なわれることなる。
【００５４】
なお、大当り中継続して大当り中信号が入力されるために大当り中継続してＳ１６が実行されることなる。それに代えて、大当り開始から所定時間（たとえば５分程度）を計時するタイマをセットして、タイマが計時中にはＳ１６のファンモータ高速駆動制御を行なう一方タイマがタイムアップした段階でＳ１７のファンモータ２２ｍを通常速度で駆動する制御に移行するように制御してもよい。
【００５５】
次に、以上説明した実施の形態における効果を列挙する。
（１）  台間表示装置１ａ、１ｂ、１ｃ…に前方に突出して情報表示部７７が設けられ、その情報表示部７７の下端縁に設けられたエア吸込口１２からエアを吸込み、情報表示部７７の上端縁および前方端縁に設けられたエア吹出口４ａ、４ｂからエアを吹出すために、パチンコ遊技機２ａ、２ｂ、２ｃの膳板８に設けられた灰皿９に載置された煙草から立上がる煙を、情報表示部７７の下端縁に設けられた吸引口１２から効果的に吸引することができる。
【００５６】
（２）  台間表示装置１ａ、１ｂ、１ｃ…は、対応するパチンコ遊技機２ａ、２ｂ、２ｃ…における遊技に伴い発生する遊技情報（たとえば大当り中信号等）が入力され、その入力された遊技情報に基づいて、シロッコファン２２からエア吹出口４ａ、４ｂへ供給されるエアの強さおよびシロッコファン２２によるエアの吸引強さの少なくとも一方を変更する変更制御を行なうために、遊技機の遊技状況に応じて、吹出すエアの強さおよびエアの吸引強さの少なくとも一方を適切な強さに調整することができる。特に大当りが発生すると一般的に遊技者が喫煙を開始する傾向にあるが、大当りの発生したパチンコ遊技機２ｂに対応する台間表示装置１ｂにおいて、吹出すエアの強さおよびエアの吸引強さの少なくとも一方が強くなるように制御しているために、大当りが発生して遊技者が喫煙を開始したことに対応することができる。一方、パチンコ遊技機２ｂがたとえば確率変動状態（高確率状態）となり大当りが連続して発生した（連荘した）場合には、１回目の大当りの際に既に喫煙して煙草を吸い終わっているために、２回目の大当りの発生時には喫煙を開始しないのが一般的であるが、そのような大当りが連荘した場合には吹出すエアの強さおよびエアの吸引強さの少なくとも一方を強く制御することなく通常の強さに維持するために、無駄に吹出すエアの強さおよびエアの吸引強さの少なくとも一方を強く制御する不都合が防止できる。また、所定時間タッチパネル６６の操作信号もパチンコ遊技機２ｂからの打込玉検出信号も入力されてきていない場合には、そのパチンコ遊技機２ｂで遊技を行なっている遊技者がいない可能性が高いため、そのような場合にはエアの吹出しとエアの吸引を停止するように制御しているために、遊技者がいないにもかかわらず無駄にエアの吹出および吸引を行なう不都合を防止することができる。
【００５７】
（３）  台間表示装置１ｂのファンモータ制御用マイクロコンピュータ４３は、シロッコファン２２からエア吹出口４ａ、４ｂへ供給されるエアの強さおよびシロッコファン２２によるエアの吸引強さの少なくとも一方を変更する変更制御を行なうときに、対応するパチンコ遊技機２ｂの方向に隣接する遊技用表示装置１ｃにおいてもエアの強さおよびエアの吸引強さの少なくとも一方を変更するための制御を行なうために、パチンコ遊技機２ｂの両側に隣接する遊技用表示装置１ｂ、１ｃがともに、当該パチンコ遊技機２ｂの遊技状況に応じて吹出すエアの強さおよびエアの吸引強さの少なくとも一方が適切な強さに調整される。
【００５８】
（４）  台間表示装置１ａ、１ｂ、１ｃ…は、紙幣挿入口３への物体の接近を検知する接近感知センサ１０が設けられており、その接近感知センサによる物体の検知に基づき、エア供給部からのエア吹出口４ａ、４ｂへ供給されるエアの強さを弱めるまたは停止するようにしているので、遊技者が紙幣を挿入する際に吹出すエアが邪魔するおそれがない。
【００５９】
次に、以上説明した実施の形態における変形例や特徴点等を以下に列挙する。
（１）  図７で示したＳ１０によりファンモータ２２ｍを停止する制御を行なったが、それに代えて、ファンモータを低速で駆動するように制御し、エア吹出口４ａ、４ｂからのエアの吹出し勢いおよびエア吸込口１２からのエアの吸引力を弱くするように制御してもよい。また、エア吹出口４ａ、４ｂからのエアの吹出し勢いおよびエア吸込口１２からのエアの吸引力の調節は、ファンモータの制御に代えて、エア吹出口４ａ、４ｂ、エア吸込口１２あるいは吹出経路２４ａ、２４ｂ、吸込経路２７を閉塞または開放するシャッタを設け、このシャッタの閉塞または開放制御あるいは半開き制御によって、吹出し勢いおよび吸引力を制御するようにしてもよい。さらには、吹出経路２４ａ、２４ｂや吸込経路２７を切換えてたとえば台間表示装置背面側から吹出したり吸引したりするように切換えることにより、エア吹出口４ａ、４ｂからのエアの吹出勢いおよび吸引力を調整するようにしてもよい。
【００６０】
（２）  前述の実施の形態では、エア吸込口１２からの吸引力とエア吹出口４ａ、４ｂからのエアの吹出し強さとの両方を同時に制御するものを示したが、それに代えて、吸引強さまたは吹出し強さのいずれか一方を制御するようにしてもよい。具体的方法としては、たとえば、吸込経路２７の途中個所にシャッタで開閉可能な吸込口を設けるとともに、エア吸込口１２を開閉するためのシャッタを設け、通常では前述の途中個所の吸込口をシャッタで閉塞するとともにエア吸込口１２のシャッタを開放し、エア吸込口１２からエアが吸込まれる状態にし、遊技状態に応じてエア吸込口１２のシャッタを閉塞するとともに途中個所の吸込口のシャッタを開放し、エア吹出口４ａからのエアの吹出し強さを変更することなくエア吸込口１２からのエアの吸引力のみを変更するようにしてもよい。さらには、前述した２つのシャッタの開閉制御に代えて、吸込経路２７とは別のたとえば台間表示装置１ｂの背面側からエアを吸込むエア吸込別経路を設け、それら吸込経路２７または吸込別経路のいずれか一方に切換えることによって、エアの吸引力のみを変更できるようにしてもよい。また、以上説明したシャッタ機構や別経路を吹出経路２４ａ、２４ｂ側に適用し、エア吸込口１２からのエアの吸引力を変更することなくエア吹出口４ａ、４ｂからのエアの吹出力のみを変更できるようにしてもよい。
【００６１】
さらなる他の具体的方法としては、たとえば台間表示装置１ｂの背面側からエアを吸込んでエア吹出口４ａ、４ｂからエアを吹出すための吹出専用シロッコファンと、エア吸込口１２から吸込んだエアをたとえば台間表示装置１ｂの背面側に吹出す吸引専用シロッコファンとを設け、ファンモータ制御用マイクロコンピュータ４３により吸引専用シロッコファンと吹出専用シロッコファンとを個別に制御し、入力された遊技情報に基づいて、吹出専用シロッコファンからエア吹出口４ａ、４ｂへ供給されるエアの強さのみ、または、吸引専用シロッコファンによるエアの吸引強さのみを変更する制御を行なうようにしてもよい。この入力された遊技情報に基づいた制御の具体的内容として、次のようにしてもよい。前述した吹出専用および吸引専用のシロッコファンがそれぞれ設けられているものにおいて、たとえば、大当り中信号が入力されたときは吹出専用シロッコファンを高速駆動させてエアの吹出しのみを強くし、打込玉信号やタッチパネル６６からのタッチ操作信号がないときには吸引専用シロッコファンを低速駆動して吸引力のみを弱くする等のように、遊技機の状況（場面）によっていずれか一方のみを変更制御するようにする。さらには、ファンモータ制御用マイクロコンピュータ４３が、前述の吹出専用シロッコファンあるいは吸引専用シロッコファンのいずれかのみを制御する。
【００６２】
さらに、シロッコファンに代えて、他の種類のファン（たとえば、軸流ファン等）にしてもよい。
【００６３】
（３）  前述の実施の形態では、電源投入によりファンモータ２２ｍが回転を開始するものを示したが、それに代えて、電源投入後ファン作動スイッチを遊技場の店員が手動でＯＮ操作することによりファンモータ２２ｍが回転を開始するようにしてもよい。
【００６４】
（４）  前述した実施の形態では、大当り中信号は、パチンコ遊技機の枠に設けられている外部出力端子から中継用島コンピュータ４８を経由してホール用管理コンピュータ４９へ出力される。その外部出力端子から分岐させて大当り中信号が台間表示装置のファンモータ制御基板に入力されるように構成した。しかし、それに代えて、ホール用管理コンピュータ４９を経由して大当り中信号が対応する台間表示装置のファンモータ制御基板２３へ送信されてくるように構成してもよい。さらには、大当り中に点灯する幕板に設けられた呼出ランプから大当り中信号をファンモータ制御基板２３に入力するようにしてもよい。
【００６５】
（５）  前述した台間表示装置１ａ、１ｂ、１ｃ…では、カードリーダライタ７０の上方および下方に空きスペースが存在する（たとえば図２参照）。この空きスペースに、たとえば、貯玉再プレイを行なうための再プレイボタン、携帯電話を利用した電子マネーを用いた玉貸を行なうための機能、パチンコ遊技機から貸玉を払出すのではなく台間表示装置１ｂから貸玉をパチンコ遊技機２ｂの上皿６に直接払出すための貸玉供給ノズル等、種々の機能を設けるようにしてもよい。このように、玉貸のための種々の機能は、確保される空きスペース次第で台間表示装置に随時設けるようにしてもよい。
【００６６】
（６）  台間表示装置１ａ、１ｂ、１ｃ…を、パチンコ遊技機２ａ、２ｂ、２ｃ…１台ごとに対応させて遊技機設置島１００に設置しているが、それに代えて、２台の遊技機に対応して１台台間表示装置を設けるようにしてもよい。
【００６７】
（７）  前述の実施の形態では、対応するパチンコ遊技機２ｂからの打込玉検出信号、大当り中信号に基づいた高速駆動コマンドを、そのパチンコ遊技機２ｂに対応する台間表示装置１ｂを経由してそのパチンコ遊技機２ｂに隣接する台間表示装置１ｃに入力していた。しかしそれに限らず、パチンコ遊技機２ｂからの打込玉検出信号および大当り中信号をそれぞれ２つに分岐させて、そのパチンコ遊技機２ｂに対応する台間表示装置１ｂと隣接する台間表示装置１ｃとに直接入力してもよい。
【００６８】
（８）  エアを供給するためのファンを各台間表示装置１ａ、１ｂ、１ｃ…に１つずつ設ける代わりに、図８に示すように、遊技機設置島１００に大型の軸流ファン３６を設け、その軸流ファン３６からのエアを複数台（図８では３台）のカードユニット１ａ、１ｂ、１ｃの各吹出経路２４ａ、２４ｂに供給し、各エア吹出口４ａ、４ｂからエアが吹出されるように構成してもよい。この場合のエアの吹出し勢いや吸引力の調整あるいは停止は、たとえば、エア吹出口４ａ、４ｂやエア吸込口１２あるいは吹出経路２４ａ、２４ｂや吸込経路２７を閉塞または開放するシャッタを設け、このシャッタの閉塞または開放制御あるいは半開き制御によって、制御する。
【００６９】
（９）  前述した実施の形態では、大当り中信号や打込玉検出信号等の遊技機における遊技に伴い発生する遊技情報を入力する入力部（入出力インターフェイス４７）と、その入力部に入力された遊技情報に基づいてエア供給部からエア吹出口４ａ、４ｂへ供給されるエアの強さおよびエアをエア吸込口１２から吸込むためのエア吸引部によるエアの吸引強さの少なくとも一方を変更する制御である変更制御を行なう遊技状況対応エア制御手段（Ｓ１２、Ｓ１４、Ｓ１６、Ｓ１７、Ｓ７、Ｓ９、Ｓ１０）とが、各台間表示装置１ａ、１ｂ、１ｃ…に設けられた例を説明した。また、台間表示装置１ｂの入力部に入力された遊技情報に基づいて、対応するパチンコ遊技機２ｂ側に隣接する台間表示装置１ｃに対し、前記変更制御を行なわせる指令情報を送信する送信手段（Ｓ１２、Ｓ１４、Ｓ１５）が、台間表示装置１ｂに設けられ、その送信手段から送信されてきた指令情報に基づいて、遊技状況対応エア制御手段が、前記変更制御を行なうときに、対応するパチンコ遊技機２ｂの方向に隣接する遊技用表示装置１ｃにおいてもエアの強さおよびエアの吸引強さの少なくとも一方を変更するための制御を行なうものを示した。
【００７０】
しかし、本発明はそれに限定されるものではなく、たとえば、入力部と遊技状況対応エア制御手段とをホール用管理コンピュータ４９や中継用島コンピュータ４８に設け、ホール用管理コンピュータ４９や中継用島コンピュータ４８に設けられた遊技状況対応エア制御手段が、入力部に入力された遊技情報の出力元のパチンコ遊技機２ｂに対応する台間表示装置１ｂに設けられたファンを遠隔制御（対応する台間表示装置のファンに指令情報を送信する制御）で実行するようにしてもよい。この遠隔制御が前述の変更制御に該当する。この場合は、ホール用管理コンピュータ４９や中継用島コンピュータ４８は、対応するパチンコ遊技機２ｂ側に隣接する台間表示装置１ｃに設けられたファンを遠隔制御（台間表示装置１ｃのファンに指令情報を送信）する。この遠隔制御が、遊技状況対応エア制御手段が前記変更制御を行なうときに、対応するパチンコ遊技機２ｂの方向に隣接する台間表示装置１ｃにおいて、前記エアの強さおよび前記エアの吸引強さの少なくとも一方を変更するための制御（以下「隣接遊技用装置変更制御」という）に該当する。
【００７１】
さらには、図８に示した遊技機設置島１００に設けられている大型の軸流ファン３６に制御用マイクロコンピュータを設け、その制御用マイクロコンピュータに前述の遊技状況対応エア制御手段を設け、ホール用管理コンピュータ４９や中継用島コンピュータ４８に設けられた前述の入力部に入力された遊技情報に基づき、当該ホール用管理コンピュータ４９や中継用島コンピュータ４８は、指令情報を制御用マイクロコンピュータへ送信し、制御用マイクロコンピュータの遊技状況対応エア制御手段により前記遊技情報の発生元の台間表示装置１ｂのエア吹出口４または吹出経路２４のシャッタを制御するようにしてもよい。この台間表示装置１ｂのエア吹出口４または吹出経路２４のシャッタを制御することが、前述の変更制御に該当する。この場合には、前記制御用マイクロコンピュータは、対応するパチンコ遊技機２ｂ側に隣接する台間表示装置１ｃの吹出口４または吹出経路２４のシャッタも制御する。この制御が、前述の隣接遊技用装置変更制御に該当する。
【００７２】
また、前述の遊技状況対応エア制御手段を各台間表示装置１ａ、１ｂ、１ｃ…に設け、ホール用管理コンピュータ４９や中継用島コンピュータ４８に入力部を設け、当該入力部に入力された遊技情報に基づき指令情報を台間表示装置１ａ、１ｂ、１ｃ…へ送信し、台間表示装置１ａ、１ｂ、１ｃ…に設けられている遊技状況対応エア制御手段がその送信されてきた指令情報に基づいて前記変更制御を行なうようにしてもよい。また、ホール用管理コンピュータ４９や中継用島コンピュータ４８は、対応するパチンコ遊技機２ｂ側に隣接する台間表示装置１ｃにも指令情報を送信する。また、前述の送信手段を各台間表示装置１ａ、１ｂ、１ｃに設け、前記変更制御を行なった台間表示装置１ｂの送信手段から対応するパチンコ遊技機２ｂ側に隣接する台間表示装置１ｃに対し前記指令情報を送信するようにしてもよく、当該指令情報を送信する制御が、前述の対応遊技用装置変更制御に該当する。
【００７３】
さらには、大型の軸流ファン３６に設けられた制御用マイクロコンピュータに、前述の入力部と遊技状況対応エア制御手段との両方を設け、遊技機における遊技に伴い発生する遊技情報がその入力部に入力されてその遊技情報に基づいて制御用マイクロコンピュータの遊技状況対応エア制御手段が、対応する台間表示装置１ｂのエア吹出口４または吹出経路２４のシャッタを制御する。このエア吹出口４または吹出経路２４のシャッタを制御することが、前述の変更制御に該当する。この場合において、制御用マイクロコンピュータは、前記変更制御を行なった台間表示装置１ｂに対応するパチンコ遊技機２ｂ側に隣接する台間表示装置１ｃのエア吹出口４または吹出経路２４のシャッタも制御する。この隣接する台間表示装置１ｃのエア吹出口４または吹出経路２４のシャッタを制御することが、前述の隣接遊技用装置変更制御に該当する。
【００７４】
以上説明したように、本発明で言う「情報表示部（たとえば、情報表示部７７）」は、必ず遊技機（たとえばパチンコ遊技機）に対応しているが、その他の「エア供給部（たとえば、ファンと吹出経路２４）」や「エア吸引部（シロッコファン２２と吸込経路２７）」や「物体接近時エア制御手段（たとえば、図７のＳ６、Ｓ１０）」や「入力部（たとえば入出力インターフェイス４７）」や「遊技状況対応エア制御手段（たとえば、図７のＳ７、Ｓ９、Ｓ１０、Ｓ１２、Ｓ１４、Ｓ１６、Ｓ１７）」等は、必ずしも遊技機に対応して設けなくてもよい。よって、本発明の「遊技用装置」は、たとえば、前述したように、入力部と遊技状況対応エア制御手段とがホール用管理コンピュータ４９に設けられ、その他は台間表示装置に設けられている場合には、そのホール用管理コンピュータ４９と台間表示装置との両者によって構成されるものである。すなわち、本発明で言う「遊技用装置」は、前述の実施の形態のように、入力部と遊技状況対応エア制御手段等すべてが台間表示装置に設けられている場合には、その台間表示装置単独で構成されるが、前述したように複数の機器から構成されるものも含むものである。
【００７５】
さらに、本発明でいう「エア供給部」は、ファンと吹出経路２４とから構成されており、図８に示したような大型の軸流ファン３６が遊技機設置島１００に設けられている場合には、その遊技機設置島１００に設けられている軸流ファン３６と吹出経路２４とによって、エア供給部が構成されることとなる。この場合においては、台間表示装置には、エア供給部の一部（吹出経路２４）のみが設けられていることとなる。
【００７６】
また、本発明でいう「エア吸引部」は、ファンと吸込経路２７とから構成されており、図８に示したような大型の軸流ファン３６が遊技機設置島１００に設けられている場合には、その遊技機設置島１００に設けられている軸流ファン３６と吸込経路２７とによって、エア吸引部が構成されることとなる。この場合においては、台間表示装置には、エア吸引部の一部（吸込経路２７）のみが設けられていることとなる。
【００７７】
（１０）  前述の実施の形態では、各パチンコ遊技機２ａ、２ｂ、２ｃ…の膳板８に灰皿９を設けたものを示したが、その代わりに、各パチンコ遊技機２ａ、２ｂ、２ｃ…の下方に設けられた玉箱を載置する板（玉箱載置板）上において、各台間表示装置１ａ、１ｂ、１ｃ…の前面側位置に灰皿用の穴を設けるとともに、玉箱載置板下方にベルトコンベアーを設け、灰皿用の穴から落下した吸殻をそのベルトコンベアーで島端に搬送して吸殻を島端に回収するようにしてもよい。
【００７８】
この吸殻回収タイプではなく、かつ各パチンコ遊技機２ａ、２ｂ、２ｃ…に灰皿が備えられていない場合においては、前述の玉箱載置板の灰皿用の穴の位置に通常の灰皿が単に置いてあり、その灰皿で遊技者が煙草を吸う。このような場合において、情報表示部７７の下端縁からエアが吹出された場合には、灰皿から立ち昇る煙が遊技者の方に流れ込むとともに、灰皿に残っている灰や載置された煙草の灰が飛び散るという不都合が生ずるが、前述の実施の形態では、情報表示部７７の下端縁に設けられたエア吸込口１２からエアが吸引されるために、灰皿から立ち昇る煙草の煙が効果的に吸引できるとともに、前述の煙草の灰が飛び散る恐れがない。
【００７９】
しかも、前述の玉箱載置板上に通常の灰皿が置かれている場合および図１に示した各パチンコ遊技機２ａ、２ｂ、２ｃ…の膳板８に灰皿９が設けられている場合において、遊技者が灰皿に一時的に載置した喫煙中の煙草だけでなく、消し忘れた煙草から立ち昇る煙も、エア吸込口１２から効果的に吸引することができる。
【００８０】
（１１）  前述の実施の形態では、２つのエア吹出口４ａと４ｂとが別々に設けられているものを示したが（図２〜図５参照）、それに代えて、両エア吹出口４ａと４ｂとが１つに繋がっているものであってもよい。
【００８１】
また、前述の実施の形態では、情報表示部７７の下端縁にエア吸引口１２が設けられ、上端縁と前方端縁とにエア吹出口４ａ、４ｂが設けられているものを示したが、それに代えて、上端縁にエア吸引口が設けられ、前方端縁にエア吹出口が設けられているものであってもよい。さらには、上端縁にエア吹出口が設けられ、前方端縁に吸引口が設けられているものであってもよい。この場合、下端縁の吸引口と前方端縁の吸引口が１つに繋がっているものであってもよい。さらには、情報表示部７７にエア吸引口が２つ設けられている場合には、それら両吸引口からエアを吸引する吸込経路２７を１本に兼用してもよい。
【００８２】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【００８３】
【図１】遊技機設置島１００に設置された台間表示装置およびパチンコ遊技機の正面図である。
【図２】台間表示装置の構成を示す図である。
【図３】台間表示装置におけるエアの流れを説明するための図である。
【図４】台間表示装置の情報表示部を示す斜視図である。
【図５】変形例の台間表示装置におけるエアの流れを説明するための図である。
【図６】台間表示装置およびパチンコ遊技機の制御回路を示すブロック図である。
【図７】台間表示装置におけるファンモータ制御用マイクロコンピュータの制御動作を示すフローチャートである。
【図８】複数台の台間表示装置に対して１台の大型軸流ファンによってエアを供給する変形例を示した図である。
【符号の説明】
【００８４】
１ａ，１ｂ，１ｃ…  台間表示装置、２ａ，２ｂ，２ｃ…  パチンコ遊技機、４ａ，４ｂ  エア吹出口、２４  吹出経路、１２  エア吸込口、２７  吸込経路、２２  シロッコファン、２１  ファンモータ制御基板、１７  紙幣識別機、１８  制御基板、３  紙幣挿入口、１１  接近感知センサ、４３  ファンモータ制御用マイクロコンピュータ、４４  ＣＰＵ、４５  ＲＯＭ、４６  ＲＡＭ、４７  入出力インターフェイス、２２ｍ  ファンモータ、４９  ホール用管理コンピュータ、４８  中継用島コンピュータ、４０  打込玉検出スイッチ、３１  赤外線センサ、３６  軸流ファン。
【図１】
0005119511.tif 000002
【図２】
0005119511.tif 000003
【図３】
0005119511.tif 000004
【図４】
0005119511.tif 000005
【図５】
0005119511.tif 000006
【図６】
0005119511.tif 000007
【図７】
0005119511.tif 000008
【図８】
0005119511.tif 000009